Podtech/llm-jp-corpus-v4-ja_patent huggingface dataset:
(57)【要約】【課題】  「美錠方式」の時計バンド、特にメッシュバンドに使用される新規な観音式中留を提供することにある。【解決手段】  バンド用観音式中留１０は、開閉する一方の開閉板２０の端部２１に取付部材３０を備える。取付部材３０は、下板４０と上箱５０を備える。下板４０は、開閉板２０の端部２１に連結ピン（図示省略）を介して回動自在に取り付けられるとともに、剣先バンドの係止孔に挿通させるための係止用突起部４１を設けている。上箱５０は、断面略コ字形をして下板４０の上側へ前記連結ピンを介して回動自在に取り付けられて剣先バンドの着脱を制御する。【選択図】  図１
0003145841.tif 000002
【実用新案登録請求の範囲】
【請求項１】
時計バンドに連結する両端部が開閉する時計バンド用観音式中留であって、
開閉する一方の開閉板の端部には、ツク棒を挿通するための係止孔を有する剣先バンドを長さ調整自在かつ着脱自在に連結するための取付部材を備え、
その取付部材は、開閉板端部に回動自在に取り付けられるとともに剣先バンドの係止孔に挿通させるための係止用突起部を設けた下板と、下板の上側へ回動自在に取り付けられて剣先バンドの着脱を制御する上箱を備えたことを特徴とする時計バンド用観音式中留。
【請求項２】
取付部材は、上箱を下板に固定して剣先バンドの着装状態を維持するためのロック機構を備えたことを特徴とする請求項１記載の時計バンド用観音式中留。
【請求項３】
剣先バンドを含む時計バンドがメッシュバンドであることを特徴とする請求項１又は２記載の時計バンド用観音式中留。
【考案の詳細な説明】
【技術分野】
【０００１】
本願考案は、時計バンドに連結する両端部が開閉する時計バンド用観音式中留に関するものである。
【背景技術】
【０００２】
従来、時計バンド用中留（バックル）には、時計バンドに連結する両端部が開閉する観音式中留構造がある（特許文献１等）。
一方、時計バンドには、帯状のネットをバンドの形状に裁断・加工して作ったものや、コイル状のパーツを組み付けてピンにより接続したもので「メッシュバンド」といわれるものがある（特許文献２等）。
【０００３】
【特許文献１】実用新案登録第３０２１２２８号公報
【特許文献２】実開平５−７２２０８号公報
【考案の開示】
【考案が解決しようとする課題】
【０００４】
しかしながら、従来、観音式中留はムクバンドや板巻きバンド等の金属バンドに使用されることが多く、「美錠方式」すなわち剣先側のバンド（剣先バンド）に形成された小穴（係止孔）に美錠側のバンドに設けられたツク棒を差し込む方式のものには使用されることは少なかった。ましてや、メッシュバンドに使用される観音式中留はこれまでに存在していなかった。
【０００５】
そこで、本願考案は、「美錠方式」の時計バンド、特にメッシュバンドに使用される新規な観音式中留の提供を目的とするものである。
【課題を解決するための手段】
【０００６】
上記目的を達成するために、第１の考案は、時計バンドに連結する両端部が開閉する時計バンド用観音式中留であって、開閉する一方の開閉板の端部には、ツク棒を挿通するための係止孔を有する剣先バンドを長さ調整自在かつ着脱自在に連結するための取付部材を備え、その取付部材は、開閉板端部に回動自在に取り付けられるとともに剣先バンドの係止孔に挿通させるための係止用突起部を設けた下板と、下板の上側へ回動自在に取り付けられて剣先バンドの着脱を制御する上箱を備えたことを特徴とする時計バンド用観音式中留である。
第２の考案は、取付部材は、上箱を下板に固定して剣先バンドの着装状態を維持するためのロック機構を備えたことを特徴とする同時計バンド用観音式中留である。
第３の考案は、剣先バンドを含む時計バンドがメッシュバンドであることを特徴とする同時計バンド用観音式中留である。
【考案の効果】
【０００７】
上記考案によれば、以下のような効果を有する。
（１）観音式中留の開閉する一方の開閉板の端部に取付部材を備え、その取付部材が下板と上箱を備えることで、剣先バンドを長さ調整自在かつ着脱自在に取り付けることができて、美錠方式時計バンドを観音式中留に使用することが可能になる。
（２）取付部材を構成する下板と上箱にロック機構を備えることで、剣先バンドを取付部材へ確実に固定することができるようになる。
（３）係止孔を備えたメッシュバンドであれば観音式中留を使用することが可能である。
【考案を実施するための最良の形態】
【０００８】
本願考案に係る時計バンド用観音式中留の実施形態を図面に基づいて説明する。
図１は、時計バンド用観音式中留を分解した説明図である。
図１に示す時計バンド用観音式中留１０は、開閉する一方の開閉板２０の端部２１に取付部材３０を備える。そして、開閉板２０には取付部材３０を介して時計バンドの６時側に付くメッシュバンド（剣先バンド）が取り付けられ、もう一方の開閉板２５には継手駒２６を介して１２時側に付くメッシュバンドが取り付けられる（メッシュバンドは図示省略）。なお、この双方の開閉板２０，２５は、中留本体１１に設けられたプッシュボタン１２，１２によってワンタッチで開くことができる。
【０００９】
取付部材３０は、下板４０と上箱５０を備える。下板４０は、開閉板２０の端部２１に連結ピン（図示省略）を介して回動自在に取り付けられるとともに、剣先バンドの係止孔に挿通させるための係止用突起部４１を設けている。
上箱５０は、断面略コ字形をして下板４０の上側へ前記連結ピンを介して回動自在に取り付けられて剣先バンドの着脱を制御する。すなわち、剣先バンドを着装する場合は上箱５０を下板４０側に閉じる。また、剣先バンドを脱離する場合は上箱５０を下板４０から離して開放する。
【００１０】
そして、取付部材３０には、剣先バンドを確実に固定するためにロック機構３１を備える。ロック機構３１は、上箱５０を下板４０側に閉じた状態を維持するものであり、下板４０の上箱５０と接する部位に形成された凸部４２，４２と、上箱５０に形成された凹部５２，５２の嵌合で構成されるものである。
【００１１】
図２は、時計バンド用観音式中留を組立した組立図である。
図２に示す時計バンド用観音式中留１０は、開閉板２０，２５が閉じられながら、取付部材３０のロック機構３１によって、下板４０と上箱５０がロックされた状態を示している。図２（ａ）は取付部材３０が手前にある状態、図２（ｂ）は取付部材３０が向こう側にある状態を示した斜視図である。
【産業上の利用可能性】
【００１２】
本願考案は、観音式中留をメッシュバンドに利用できるものである。さらに、メッシュバンドに限らず美錠方式時計バンドにも広く利用できるものである。
【図面の簡単な説明】
【００１３】
【図１】時計バンド用観音式中留を分解した説明図。
【図２】時計バンド用観音式中留の組立した組立図。
【符号の説明】
【００１４】
１０  時計バンド用観音式中留    １１  中留本体    １２  プッシュボタン
２０  開閉板（６時側バンド）
２５  開閉板（１２時側バンド）    ２６  継手駒
３０  取付部材    ３１  ロック機構
４０  下板    ４１  係止用突起部    ４２  凸部
５０  上箱    ５２  凹部
【図１】
0003145841.tif 000003
【図２】
0003145841.tif 000004
(57)【要約】      （修正有）【課題】水道メーター交換の際にパッキンの取り付けをズムーズにできる工具を提供する。【解決手段】新型の水道メーターを約３〜５ｍｍずらせば新しいパッキンが挿入できるようにするためにプラスティック部分に金属製の工具が当らないようにし、かつ簡単に水道メーター本体をずらすことが出来るようにした水道メーターパッキン挿入用工具である。水道メーターパッキン挿入用工具本体は、下方に開口したＵ型溝を有する板状の両側に筒状の孔部を有するものであり、孔部に先の尖った左右一対の棒であって上端をそれぞれ一体に形成された棒を挿入し、水道メーターケースの中が直接地面であればその棒を金槌などで地面に打ち込み、水道メーター本体かパイプの袋ナットをこねて任意の方向にずらしてパッキンを簡単に挿入できる。【選択図】図４
0003145823.tif 000002
【実用新案登録請求の範囲】
【請求項１】
本考案の水道メーターパッキンインナーの本体は、水道メーター本体とパイプの袋ナットの間に挿入されると共に、袋ナットに係止するU型溝状の係止部を有する本体と、その本体の両側に立設された２つの孔に２本の棒を立設することを特徴とした、水道メーターパッキン挿入用工具。
【考案の詳細な説明】
【技術分野】
【０００１】
水道メーター交換の際にパッキンの取り付けをスムーズにできる工具に関する。
【背景技術】
【０００２】
従来から、水道メーターの交換に伴い、パッキンも交換しなければならずその際に、従来の水道メーター本体は金属製であったため、新しいパッキンを挿入する際に金属のバールなどで多少こねたり叩いたりしても水道メーター本体が破損することはなかったが、平成２０年４月から水道メーターの仕様が変更になり、本体にプラスティックを使用しているので、従来どおりに金属製のバールなどでこねたり叩いたりすると水道メーター本体が破損する恐れがあるので、水道メーター本体が破損しないように考案した水道メーターパッキン挿入用工具。
【考案の開示】
【考案が解決しようとする課題】
【０００３】
現在水道メーターの交換はメーター両側に袋ナットでパイプが締め付けられて水が水道メーターとパイプの中を通って家庭や工場等に送られている。袋ナットを緩めて古い水道メーターとパッキンを取り除き、新しい水道メーターとパッキンを取り付けて両側の袋ナットを締め付けて交換していたが、古いパッキンは長年締め付けられていたため、新品のパッキンの約３分の１程度の厚さになっており新しい水道メーターとパッキンを両側の袋ナットの間に挿入すると新しいパッキンが片側には入るものの片側の隙間が殆どなくなるためパッキンが入りづらくなっていたが従来の水道メーターは本体が金属製であったので水道メーター本体を金属製のバールなどでこねて新しいパッキンを挿入し袋ナットで締め付けていたが現在使用されている水道メーターは本体がプラスティック製に仕様が変わりバールなどでこねたりすると水道メーター本体が破損し水道メーター交換業者が多大な損失をこうむるために水道メーター本体が破損することなく交換できるように考案した水道メーターパッキン挿入用工具である。
【課題を解決するための手段】
【０００４】
本考案はこの点に鑑み、新型の水道メーターを約３〜５mmずらせば新しいパッキンが挿入できるようにするためにプラスティック部分に金属製の工具が当らないようにし、かつ簡単に水道メーター本体をずらすことが出来るように考案した水道メーターパッキン挿入用工具である。
【考案の効果】
【０００５】
本考案は、水道メーターにはなくてはならないパッキンを水道メーター本体交換時に必ず新しいパッキンに交換しなければ水漏れ等により水道料金の誤差が生じるため、重要な部品であるパッキン交換の際に、簡単で安全かつ確実に作業が出来るよう考案した水道メーターパッキン挿入用工具である。
【考案を実施するための最良の形態】
【０００６】
本考案は図１の水道メーターパッキン挿入用工具本体は、下方に開口したU型溝を有する板状の両側に筒状の孔部を有するものであり、孔部に図２の先の尖った左右一対の棒であって上端をそれぞれ一体に形成された棒を挿入し、水道メーターケースの中が直接地面であればその棒を金槌などで地面に打ち込み、水道メーター本体かパイプの袋ナットをこねて任意の方向にずらしてパッキンを簡単に挿入できる水道メーターパッキン挿入用工具。
【実施例】
【０００７】
図３は新しいプラスティック製の水道メーターに片側のパッキンを新品に交換した後、片側にもう一枚新品のパッキンを挿入する前の図でありパッキン挿入する隙間が明らかに狭い状態であり、図４が本考案の水道メーターパッキンインナーを取り付け、図２の棒を挿入し、水道メーターパッキンインナーを操作し、水道メーター本体とパイプの間の隙間が広がった図である。本考案の水道メーターパッキンインナーは一人でも簡単かつ安全に片手で操作できる水道メーターパッキン工挿入用具である。
【０００８】
本考案の水道メーターパッキンインナーは水道メーターの大小にかわらず交換できるように造られており、水道メーターを破損し、水道メーター本来の機能を損なうことのないように考案した水道メーターパッキンインナーである。
【図面の簡単な説明】
【０００９】
【図１】水道メーターパッキンインナー本体の斜視図
【図２】水道メーターパッキンインナー用の鉄棒の斜視図
【図３】水道メーターを交換し片側のパッキンを交換後、未交換部の隙間（▼部）が狭い状態の図
【図４】水道メーターパッキンインナーを操作し、水道メーター本体とパイプ、                            の間の隙間（▼部）が広がった状態の図
【図１】
0003145823.tif 000003
【図２】
0003145823.tif 000004
【図３】
0003145823.tif 000005
【図４】
0003145823.tif 000006
(57)【要約】      （修正有）【課題】高い相対湿度の環境下でも検出器出力の低下をきたすことなく妨害ガスである硫化水素を除去できるフィルタを提供する。【解決手段】ガラス繊維１ａからなるガス通気性を備えたシート状の担体１に、過塩素酸銀、硝酸銀、及びパラトルエンスルフォン酸銀の少なくとも一種を保持させる。過塩素酸銀以外に吸湿性を有する物質が存在しないため、湿度の影響を最小限に抑制でき、サンプルガスに含まれている妨害ガスが銀塩に選択的に反応して確実に除去することができる。【選択図】図１
0003145213.tif 000002
【実用新案登録請求の範囲】
【請求項１】
ガラス繊維からなるガス通気性を備えたシート状の担体に、過塩素酸銀、硝酸銀、及びパラトルエンスルフォン酸銀の少なくとも一種を保持させてなるガス検出器用妨害ガス除去フィルター。
【請求項２】
ガラス繊維からなるガス通気性を備えたシート状の担体に、過塩素酸銀を保持させてなるガス検出器用妨害ガス除去フィルター。
【請求項３】
上記過塩素酸銀が１平方メ−トル当たり3.25乃至9.75グラムである請求項2に記載のガス検出器用妨害ガス除去フィルター。
【請求項４】
ガラス繊維からなるガス通気性を備えたシート状の担体に、硝酸銀を保持させてなるガス検出器用妨害ガス除去フィルター。
【請求項５】
上記硝酸銀が１平方メ−トル当たり1.5乃至3.0グラムである請求項4に記載のガス検出器用妨害ガス除去フィルター。
【請求項６】
ガラス繊維からなるガス通気性を備えたシート状の担体に、パラトルエンスルフォン酸銀を保持させてなるガス検出器用妨害ガス除去フィルター。
【請求項７】
上記硝酸銀が１平方メ−トル当たり1.5乃至3.0グラムである請求項6に記載のガス検出器用妨害ガス除去フィルター。
【考案の詳細な説明】
【技術分野】
【０００１】
本考案は、ガス検出器に流入するサンプルガスから硫化水素等のガスを除去するためのフィルターに関する。
【背景技術】
【０００２】
硫化水素が高い濃度で存在する状況下で定電位電解型電気化学式センサーを使用すると、硫化水素の干渉の影響が大きく、目的ガスの測定ができない。  このような硫化水素等の干渉の影響を抑えてＳＯ2 や、ＣＯを正確に測定するために特許文献１に見られるようなフィルタをセンサーのガス取り入れ口に設けることが行われている。
【０００３】
しかしながら、ガス通気性を備え、かつ多価アルコールの吸収が可能なシート状担体に、多価アルコールと、多価アルコールに溶解させた銀塩を保持
させて構成されているため、図3に示したように相対湿度が５０％を超える環境下では吸湿により出力が急激に低下するという不都合がある。
なお、図3は、従来のフィルタを5種類用意してフィルタを取り付けたガス検出器の出力変化と相対湿度との関係を調査したものである。
【特許文献１】特開平６−１８６１４７号公報
【考案の開示】
【考案が解決しようとする課題】
【０００４】
本考案はこのような問題に鑑みてなされたものであって、その目的とするところは、高い相対湿度の環境下でも検出器出力の低下をきたすことなく妨害ガスである硫化水素を除去できるフィルタを提供することである。
【課題を解決するための手段】
【０００５】
このような課題を解消するため本考案においてはガス透過性を有する非吸湿性のシートに、過塩素酸銀、硝酸銀、及びパラトルエンスルフォン酸銀の少なくとも一種を保持させる。
【考案の効果】
【０００６】
本考案によれば過塩素酸銀以外に吸湿性を有する物質が存在しないため、湿度の影響を最小限に抑制でき、サンプルガスに含まれている妨害ガスが銀塩に選択的に反応して確実に除去することができる。
【考案を実施するための最良の形態】
【０００７】
そこで以下に実施例に基づいて説明する。
図1は本考案の一実施例を示すものであって、通気性を持ち、かつ可及的に吸湿性が低いガラス繊維１ａからシート等の担体１に、過塩素酸銀をメタノールに溶解させた試薬を含浸させ、ついでメタノールを揮散させ、担体1に過塩素酸銀粒子2を添着して構成されている。
【０００８】
［実施例１］
過塩素酸銀を5乃至15グラムｗ／ｖパ−セントをメタノ−ルに溶解した調製液にガラス繊維１ａからなる担体1を浸漬させ、引上げてから担体1に含まれているメタノ−ルを室温で蒸発させる。これにより１平方メ−トル当たり過塩素酸銀3.25乃至9.75グラムを保持したフィルター材を得ることができる。
【０００９】
［実施例２］
硝酸銀を2.5乃至5ｗ／ｖパーセントをメタノールに溶解させた調製液にガラス繊維１ａからなる担体1を浸漬して、メタノールを室温で蒸発させる。これにより１平方メートル当たり硝酸銀1.5乃至3.0グラムを担持したフィルター材を得ることができる。
【００１０】
［実施例３］
パラトルエンスルフォン酸銀を2.5乃至5ｗ／ｖパーセントをメタノールに溶解した調製液にガラス繊維１ａから担体1を浸漬させ、メタノールを蒸発させることにより、１平方メートル当たりパラトルエンスルフォン酸銀を1.5乃至3.0担持したフィルター材を得ることができる。
【００１１】
図1は、本考案のフィルタを5種類用意して湿度特性、つまりこのフィルタを取り付けたガス検出器の出力変化と相対湿度との関係を示すものであって相対湿度85％程度でも出力の低下は見られない。
【００１２】
なお、上述の実施例においては過塩素酸銀、硝酸銀、及びパラトルエンスルフォン酸銀などの銀塩を単独で含浸させているが、これら銀塩を複数種類組み合わせて使用しても同様の作用を奏することは明らかである。
【００１３】
また、担体が保持するべき上記各銀塩の量は、少なければ硫化水素の吸収量が少なく、また多ければフィルターの通気性が低下したり、また析出による不都合が生じるので、上記範囲が最適であることを確認した。
【図面の簡単な説明】
【００１４】
【図１】本考案の一実施例を模式的に示す図である。
【図２】本考案のフィルタによる相対湿度と出力変化との関係を示す図である。
【図３】従来のフィルタによる相対湿度と出力変化との関係を示す図である。
【符号の説明】
【００１５】
1  非吸湿性シートからなる担体    1a  ガラス繊維    2  過塩酸銀の粒子
【図１】
0003145213.tif 000003
【図２】
0003145213.tif 000004
【図３】
0003145213.tif 000005
(57)【要約】      （修正有）【課題】衛生的で低コスト及び省資源並びに廃棄時の環境負荷抑制に貢献する食品用手袋を提供する。【解決手段】耐油性の紙等に、パーホレーション（ミシン目）２加工により、使用時には容易に手指を挿入するスリットを形成するとともに、スリット開口部での手指への怪我を防止する。また、切欠きタブ４により形成されるマチにより、容易に一方を親指、他方にその他の指を入れ着脱することができ、食品に直接触れることなく、対象物を手指全体で掴むことができるため、手指をよごすことなく容易に食品を食べることができる。また、切欠きタブ部を設けることにより、手袋の角部が無くなり、把持時には掴みやすく、食べるときには口元等に角部が当たらず不快感や口周りの汚れ付着を低減することができる。【選択図】図９
0003145214.tif 000002
【実用新案登録請求の範囲】
【請求項１】
耐油性の紙を使用し、着脱及び操作が容易となるマチを形成する切欠きタブ            及び、パーホレーション加工によるスリットを有し、手親指とその他の手指            を各々入れる袋構造を持ち、着脱が容易で手指を汚さない食品用手袋
【考案の詳細な説明】
【技術分野】
【０００１】
本案件は、手指で直接食物を掴んで飲食する際、使用時に容易に着脱でき、衛生的で    、油などで手指を汚さず、保持を容易にする食品用手袋に関するものであり、使い捨    てナプキン等の使用量を抑制し、資源の節約及び廃棄時の環境負荷を低減するもので    ある。
【背景技術】
【０００２】
フライドチキン等のファーストフード類を食べる際など、直接手指で摘んで食べ、紙    ナプキン等で手指の汚れをふき取る、又は、予め紙ナプキンやアルミ箔などで食品を    包んだり巻くなどして、直接手指が触れないようにするが、保持し難く、包み難い形    状の食品の場合は、はみ出したりして直接手指に触れるため、手指を汚すことが多く    、食事前の手洗いが十分できない屋外などの環境下では非衛生的であり、環境保全の    観点からも紙ナプキンの使用量の増加による紙資源消費量と廃棄物の増加及び廃棄物    処理による環境への影響、手洗いのための浄水の使用や洗剤の使用などによる環境へ    の影響が生じる。
【考案の開示】
【考案が解決しようとする課題】
【０００３】
直接手指で保持する場合、屋外など手洗いが十分できない環境下では不衛生であり、    また頻繁に紙ナプキンなどで手指を拭うため紙ナプキンの消費量が多くなる。また、    爪の間などに油が残る。また、紙ナプキンやアルミ箔を使用して食品の一部を包んだ    り巻いたりして把持部を覆ったりするが、保持し難くまた外れやすいため、染みたり    はみ出したりして手指が汚れ、また、包んだナプキン等の角部が口元を汚したり、接    触により不快感を生じさせる等により、紙ナプキンなどの使用量が多くなる。これら    の問題を解決するために、容易に着脱でき、手指を汚さず、食品を確実に保持できる    手段を提供する。
【課題を解決するための手段】
【０００４】
耐油性の紙を使用し、着脱及び操作が容易となるマチを形成する切欠きタブ及び、パ    ーホレーション加工によるスリットを有し、手親指とその他の手指を各々入れる袋構    造を持ち、着脱が容易で手指を汚さない食品用手袋を提供する。
【考案の効果】
【０００５】
耐油性の紙等からなる食品用手袋は、パーホレーション（ミシン目）加工により、使    用前の衛生を保ち、使用時には容易に手指を挿入するスリットを形成するとともに、    スリット開口部での手指への怪我を防止する。また、切欠きタブにより形成されるマ    チにより、容易に一方を親指、他方にその他の指を入れ着脱することができ、食品に    直接触れることなく、対象物を手指全体で掴むことができるため、手指をよごすこと    なく容易に食品を食べることができる。また、切欠きタブ部を設けることにより、手    袋の角部が無くなり、把持時には掴みやすく、食べるときには口元等に角部が当たら    ず不快感や口周りの汚れ付着を低減することができ、及び、紙ナプキンなどの使用量    を少なくすることができるため、紙資源の節約、廃棄時の環境汚染や手洗いによる洗    剤の使用量、水資源の節約及び汚染抑止が可能である。
【考案を実施するための最良の形態】
【０００６】
耐油性の紙を、使用状況や原材料の有効利用に対し適切な寸法・形状を考慮して図１    のように裁断し、図２のように上下両辺を折り返し、筒状になるよう重なった部分を    接着した後、「図３」のように左右両端を折り返して接着する。「図４」のように重    なった上部スリット形成側のみをパーホレーション（ミシン目）加工するとともに、    「図５」のように角部を切断し「切欠きタブ」を形成する。接着には衛生上、環境上    及び強度的に適切な接着方法を施す。使用する際は、パーホレーション（ミシン目）    を破り、２箇所のスリット開口部の一方に親指を、他方に人差指他の手指を挿入して    使用する。その際、角部に設けた切欠きタブ部が広がり、手指を十分に入れるマチを    形成することで着脱及び使用を容易にする。さらに、パーホレーション（ミシン目）    により、使用前は内部への異物等の混入を防止し、使用時にはスリット開口部による    手指への切り傷等の怪我を防止する。
【図面の簡単な説明】
【０００７】
【図１】折り曲げ加工時の展開図を示した平面図である。
【図２】製品の接着部を示した断面図である。
【図３】上下、左右部の接着後を示した平面図である。
【図４】パーホレーション（ミシン目）加工部を示した平面図である。
【図５】製品を左右に折重ね、切欠きタブ切断部を示した平面図である。
【図６】切欠きタブ切除後を示した平面図である。
【図７】折り曲げ部を左右に開いた平面図である。
【図８】使用時にパーホレーション（ミシン目）を開いた斜視図である。
【図９】使用時の装着状態を示した斜視図である。
【符号の説明】
【０００８】
１  接着部
２  パーホレーション（ミシン目）
３  スリット部
４  切欠きタブ
【図１】
0003145214.tif 000003
【図２】
0003145214.tif 000004
【図３】
0003145214.tif 000005
【図４】
0003145214.tif 000006
【図５】
0003145214.tif 000007
【図６】
0003145214.tif 000008
【図７】
0003145214.tif 000009
【図８】
0003145214.tif 000010
【図９】
0003145214.tif 000011
(57)【要約】      （修正有）【課題】電子部品とＰＣＢ板のコネクタ装置で、特に通電コネクタ端子用の金属端子を提供する。【解決手段】金属端子の一種、端子の本体１頭部３軸方向に立てる逆鈎２があり、逆鈎２の方向は端子挿入の方向と逆になって、逆鈎２は端子本体１一部分、それに端子本体の真中に設定し、使用時、本製品をＰＣＢ板に挿入し易く、確りＰＣＢ板に固定できる。ディップ半田付けとリフロー半田付けでも緩まず、ＰＣＢ板間に隙間は存在せず、浮きと脱落の無い構造を実現できる。【選択図】図２
0003145293.tif 000002
【実用新案登録請求の範囲】
【請求項１】
金属端子の一種であって、端子の本体(1)頭部(3)軸方向に立てる逆鈎があり、逆鈎(2)の方向は端子挿入の方向と逆に成ることを特徴とする金属端子。
【請求項２】
前記逆鈎(2)は、端子本体(1)の一部分設計であることを特徴とする請求項１に記載の金属端子。
【請求項３】
前記逆鈎(2)は、前記端子本体(1)の真中であることを特徴とする請求項２に記載の金属端子。
【請求項４】
前記逆鈎(2)は、前記端子本体(1)の辺縁に設計することを特徴とする請求項２に記載の金属端子。
【請求項５】
二つ逆鈎(2)は、前記端子本体(1)両側に対称設計することを特徴とする請求項２に記載の金属端子。
【請求項６】
端子(1)の頭部(3)上端面にR角(円弧状)を設定することを特徴とする請求項１に記載の金属端子。
【考案の詳細な説明】
【技術分野】
【０００１】
本考案は、電子部品とPCB板のコネクタ装置で、特に通電コネクタ端子に関する。
【背景技術】
【０００２】
現在のコネクタ電子部品の鈎は、プラスチック或いは金属端子製の型が普通で、PCB板の通路と本部品を半田固定で伝送回線になり、夫夫の伝送回路で別々信号を伝送する。電子部品の端子は片状が多く、固定設計装置がなく、PCB板に挿入した後、プラスチックの鈎で固定するしかない型は普通で、電子部品は固定緩みと脱落が多い。現在の電子時代は“環境型”と“健康型”を中心とし、其れに地球環境保全面国際法律強制的なIECQ(国際電工委員会質量評価系)は全世界で電子製品Pbフリー承認実施を始めた。Pbフリー導入結果は、ディップ半田付けとリフロー半田付けでも、導入前と溶接工程温度は高まって成り、現在の金属端子は固定装置が無い為、挿入後、プラスチック製鈎は熔化の可能性或いは変形不良が高く、PCB板に浮きと脱落等固定出来ず不良と成る。
【考案の開示】
【考案が解決しようとする課題】
【０００３】
しかしながら、以上の技術によれば、プラスチック製鈎は熔化の可能性或いは変形不良が高く、PCB板に浮きと脱落等固定出来ず不良と成り、そこで、本考案は、端子の本体(1)頭部(3)軸方向に立てる逆鈎(2)があり、挿入した逆鈎(2)の方向は端子挿入の方向と逆になり、逆鈎(2)は端子(1)の一部分で、端子(1)の真中に設計し、頭部(3)上端面はR角(円弧状)である。以上の技術に改進の為、逆鈎(2)の設定は、端子本体(1)単縁にして提供することを課題とする。
【０００４】
実用の改進型として、述べた金属端子本体(1)両側に二つ逆鈎(2)は対称設計している。本金属端子を使った電子部品は、プラスチック製の逆鈎が熔化、変形し易い。プラスチック製の逆鈎無し製品PCB板に固定できず、金属端子逆鈎の本製品はPCB板に確り固定出来、浮きと脱落現象は改善出来る。金属端子の電子部品は立て型（Vertical type）と横型(Horizontal type)があり、立て型――PCB板に挿入後と垂直になり、横型――PCB板に挿入後は平行になる。同一部品に、逆鈎端子は一つから複数まで設計し、AV/TVJACK、PHONE JACK, マイクJACK、RCA JACK,S端子、RGB端子、DC端子等電子コネクタ、家用電気、マルチメディアの業界に使用する。
【考案を実施するための最良の形態】
【０００５】
下記添付図面を参照して、本製品を説明する。
【０００６】
図１に示すように、金属端子の一種、端子の本体(1)頭部(3)軸方向に立てる逆鈎(2)があり、逆鈎(2)の方向は端子挿入の方向と逆になって、逆鈎(2)は端子本体(1)一部分、それに端子本体の真中に設定し、使用時、本製品をPCB板に挿入し易く、確りPCB板に固定できる。ディップ半田付けとリフロー半田付けでも緩まず、PCB板間に隙間は存在せず、浮きと脱落無くなり、厳しい条件でも、製品各性能が保証出来る。
【０００７】
本製品では、逆鈎(2)は端子本体(1)の縁に設定出来、頭部(3)上端面にR角(円弧状)と成っている。
【０００８】
本製品では、逆鈎(2)は二つで、端子本体(1)両側に対称設計し、逆鈎(2)は端子の一部分で、端子の真中或いは横に落ち成型や引き裂く成型して、挿入後に湾曲する、金型で成型をするので、成型し易く、強度は高くなる。
【０００９】
実用新案の本製品の保護範囲は、上記で述べた最適な実用方式の外、本製品に端子本体或いは逆鈎の同様な構成外形等変更を施した、相同或いは相似な技術方案等である。
【図面の簡単な説明】
【００１０】
【図１】本製品の組立図である。
【図２】左横図である。
【図３】本製品の優先選択方式型図である。
【図４】本製品の第二種優先選択方式型図である。
【図５】本製品の第三種優先選択方式型図である。
【図６】右横図である。
【図１】
0003145293.tif 000003
【図２】
0003145293.tif 000004
【図３】
0003145293.tif 000005
【図４】
0003145293.tif 000006
【図５】
0003145293.tif 000007
【図６】
0003145293.tif 000008
(57)【要約】【課題】髪飾りと髪の長手方向のなす角度に関わらず、安定して髪飾りを髪に留める。【解決手段】髪に留める飾り１において、該髪飾り１よりも短く、該髪飾り１の裏面に固定されている細長い平板部材２を具備している。該髪飾り１を髪の飾りとして使用する際に、ヘアピン３によって平板部材２と共に髪を保持することで、該髪飾り１を自在な角度で髪に留める。【選択図】図９
0003145250.tif 000002
【実用新案登録請求の範囲】
【請求項１】
髪に固定される装飾的なアクセサリーにおいて、飾りのベースとなる部材に2点以上の支持点で固定される平板部材からなり、平板部材は柔軟性を持ち、飾りのベースを変形させた場合にそれに倣うようにして変形し、かつその形状をある程度保つことができる強度も持っており、ピン等によって髪と共にはさむ事で髪に固定する際に、先のピン等と平板部材のなす角度をさまざまに変えられることを特徴とする髪飾り留め具。
【考案の詳細な説明】
【技術分野】
【０００１】
本考案は、髪飾りを髪に留める角度をさまざまに設定できる髪飾り留め具に関するものである。
【背景技術】
【０００２】
髪飾りを髪に留める為に、髪飾りの裏面にヘアピンが固定されている。図５は、このような従来の髪飾りの裏面図であり、図６は図５の側面図であり、ヘアピンが髪飾りのベースの裏面に固定されている。
【０００３】
従来のヘアピンにおいては、図７に示すように髪の毛の長手方向に対して垂直に髪飾りを留める場合には多くの髪の毛をヘアピンで挟み込める為に安定して固定することができるが、図８に示すように髪の毛の長手方向に対して水平に留めたい場合には髪の毛とヘアピンの長手方向が同じとなる為、多くの髪の毛を挟み込む事が困難となり、安定に固定することができなかった。
【考案の開示】
【考案が解決しようとする課題】
【０００４】
解決しようとする問題点は、髪飾りを留める為のヘアピンが固定されており、留めるのに最適な角度が制限されてしまう為である。
【課題を解決するための手段】
【０００５】
本考案は、髪飾りの裏面に変形可能で適度な剛性を持つ平板を取り付けることを特徴とする。
【実施例１】
【０００６】
図１は、本考案髪留め具２が髪飾り１の裏面に取り付けられた図である。図２は図１を３−３に沿った断面図であるが、これに示されるように髪飾り１と髪留め具２の間には隙間がある。図４は、図２に髪を止める為のヘアピンと髪を加えた図であるが、先の隙間にヘアピン３の片側を挿し込み、もう一方で髪４を髪飾り留め具２との間に挟みこむ。図１を４−４線に沿った断面図であるが、髪飾り留め具２は、その両端と中央を髪飾り２の背面に固定されている。中間でも固定することで、図９、図１０に示すように複数のヘアピン３を使用する場合にゆるみなく髪飾り１を髪４に固定することができる。
【０００７】
また、人間の頭部は丸みを持っており、頭部に密着して髪飾りを固定しようとした場合でも、本考案の髪飾り留め具２の持つ柔軟性と、変形を保つことのできるある程度の強度によって、頭部の丸みに沿って髪飾り１を固定することができる。この柔軟性と変形を保つことのできる強度を持たせるために、例えば本考案髪飾り留め具の平板の中に細い針金を挟み込むことも有効である。
【０００８】
また、図１においては２つの平板を平行に使用しているが、より幅広の平板一つにして薄い金属板のようなものを挟みこむことでも同様の効果が得られる。    図８に示すような従来の髪留め具５では、髪飾り１を髪４に留めるのが困難な場合でも図９のようにヘアピンの角度を調節することで容易に髪飾り１を固定することができる。図７のような場合には図１０のようなヘアピンの使い方をすることで髪飾り１を髪４に固定することができる。
【図面の簡単な説明】
【０００９】
【図１】本考案の実施の形態の一つであって、髪飾りの裏面から見た図
【図２】図１を３−３線に沿った断面図
【図３】図１を４−４線に沿った断面図
【図４】本考案の実施の形態の一つであって、図２に髪を止める為のヘアピンと髪を加えた図
【図５】髪飾り留め具の従来例
【図６】図５の側面図
【図７】髪飾りを髪に横向きに留めた図
【図８】髪飾りを髪に縦向きに留めた図
【図９】本考案の実施形態の一つであって、ヘアピンを髪飾り留め具の長手方向に対して垂直に取り付けた図
【図１０】本考案の実施形態の一つであって、ヘアピンを髪飾り留め具の長手方向に対して斜めに取り付けた図
【符号の説明】
【００１０】
１    髪飾りベース
２    髪飾り留め具
３    ヘアピン（小）
４    髪
５    ヘアピン（大）
【図１】
0003145250.tif 000003
【図２】
0003145250.tif 000004
【図３】
0003145250.tif 000005
【図４】
0003145250.tif 000006
【図５】
0003145250.tif 000007
【図６】
0003145250.tif 000008
【図７】
0003145250.tif 000009
【図８】
0003145250.tif 000010
【図９】
0003145250.tif 000011
【図１０】
0003145250.tif 000012
(57)【要約】      （修正有）【課題】仏壇の様な狭い場所においても、焼香用備品を整理整頓することのできる整理タンスを提供する。【解決手段】焼香用備品の整理タンスは、本体１と蓋２とによりなる。本体１には、上壁部１ａに開口部３ｂを設けた線香入れケース３が配設されている。このケース３には線香７が収納されている。上壁部１ａ上には、マッチ４を入れるマッチホルダー１ｂが設けられている。上段の引出し５には、ハサミ９、線香立て１０、箒等の備品が収納されている。収納部下段の引出し６には、使用済みの線香、灰などのゴミ８が収納されている。【選択図】図２
0003145286.tif 000002
【実用新案登録請求の範囲】
【請求項１】
線香、マッチ、線香立て、ハサミ、箒等の焼香時に使用する備品及び使用済みの線香、マッチ等のゴミを入れる引出し、蓋付箱等の収納部を備えてなることを特徴とする焼香用備品の整理タンス。
【考案の詳細な説明】
【技術分野】
【０００１】
本考案は、焼香用備品の整理タンスに関するものである。
【背景技術】
【０００２】
複数本の棒状の線香を等間隔に配置し、これらの一端部を一体に連結した櫛状の線香は、実用新案登録第３１２９５５７号公報に開示されている。この線香とこれを起立させる線香スタンドは、実用新案登録第３１３２２８１号公報に開示されている。また、線香入れケース及び焼香用ケースは、実用新案登録第３１４２６６３号公報に開示されている。しかし、これらの物品等を用いての焼香時においては、物品の数が比較的に多い為に仏壇の様な比較的狭い場所での使用は、各物品の置き場所等を特定するのが難しく、物品によっては、やむなく離れた所に収納することも考えられることから、整理整頓が煩わしく、乱雑に置かれがちだった。
【特許文献１】実登第３１２９５５７号公報
【特許文献２】実登第３１３２２８１号公報
【特許文献３】実登第３１４２６６３号公報
【考案の開示】
【考案が解決しようとする課題】
【０００３】
本考案は、上記問題点を解決することを課題とする。
【課題を解決するための手段】
【０００４】
本考案が、上記課題を解決するために提供する焼香用備品の整理タンスは、線香、マッチ、線香立て、ハサミ、箒等の焼香時に使用する備品及び使用済みの線香、マッチ等のゴミを入れる引出し、蓋付箱等の収納部を備えていることを特徴とするものである。
【考案の効果】
【０００５】
本考案によれば、焼香時に必要な物品を使い易いようにコンパクトにまとめることができる。
【０００６】
焼香時または、それ以後に発生するゴミを焼香用備品整理タンスの収納部に収納できる利点がある。
【考案を実施するための最良の形態】
【０００７】
以下、本考案を実施するための最良の形態を実施例によって図面を参照しながら説明する。
図１、図２、図３、図４は、実施例の焼香用備品の整理タンスを示す。この焼香用備品の整理タンスは、本体１と蓋２とによりなる。本体１には、上壁部１ａに開口部３ｂを設けた線香入れケース３が配設されている。このケース３には線香７が収納されている。上壁部１ａ上には、マッチ４を入れるマッチホルダー１ｂが設けられている。上段の引出し５には、ハサミ９、線香立て１０、箒１１等の備品が収納されている。収納部下段の引出し６には、使用済みの線香、灰などのゴミ８が収納されている。
本考案は、実施形態に限定されるものではなく、基本の形状及び材質、構成手段等、適宜に設計変更できるものである。
【図面の簡単な説明】
【０００８】
【図１】実施例の焼香用備品の整理タンスの一部切欠平面図
【図２】実施例の焼香用備品の整理タンスの縦断右側面図
【図３】実施例の焼香用備品の整理タンスの一部引出しを開けた図のある平面図
【図４】実施例の焼香用備品の整理タンスの一部切欠正面図
【符号の説明】
【０００９】
１  本体
１ａ  上壁部
１ｂ  マッチホルダー
２  蓋
３  線香入れケース
３ａ  蓋
３ｂ  本体
３ｃ  開口部
４  マッチ
５  引出し
６  ゴミ収納用引出し
７  線香
８  ゴミ
９  ハサミ
１０  線香立て
１１  箒
【図１】
0003145286.tif 000003
【図２】
0003145286.tif 000004
【図３】
0003145286.tif 000005
【図４】
0003145286.tif 000006
(57)【要約】【課題】納骨時の作業が従来よりも簡易な墓石を提供する。【解決手段】本考案に係る墓石においては、内部に納骨室Ｓを有する墓碑１の前方に水鉢３が配置されている。水鉢３は、納骨室に通じる通路を有する本体４と、該本体４の通路の前面側開口部を塞ぐ蓋５とから構成され、該蓋５を移動させることにより、本体４の通路を通じて納骨室が露出する。【選択図】図１
0003145231.tif 000002
【実用新案登録請求の範囲】
【請求項１】
内部に納骨室Ｓを有する墓碑(１)の前方に水鉢(３)が配置されている墓石において、前記水鉢(３)は、前記納骨室Ｓに通じる通路Ｒを有する本体(４)と、該本体(４)の通路Ｒの前面側開口部を塞ぐ蓋(５)とから構成され、該蓋(５)を移動させることにより、前記本体(４)の通路Ｒを通じて前記納骨室Ｓが露出することを特徴とする墓石。
【請求項２】
前記水鉢(３)には、１本の鉛直線に沿って、本体(４)をその上面から下方へ貫通する貫通孔(43)と、蓋(５)の上面から下方へ伸びる穴(53)とが開設され、本体(４)の貫通孔(43)と蓋(５)の穴(53)に跨って、筒状部材が挿入されている請求項１に記載の墓石。
【考案の詳細な説明】
【技術分野】
【０００１】
本考案は、墓碑の前方に水鉢を配置してなる墓石に関するものである。
【背景技術】
【０００２】
従来の墓石においては、例えば図６に示す如く、下台(11)、上台(12)及び竿石(13)を積み重ねて墓碑(１)が構成され、該墓碑(１)の前方に設置された基礎石(２)の上には、水溜(61)及び香炉(62)を具えた水鉢(６)が配置されると共に、該水鉢(６)の両側に、一対の花立(９)(９)が配置されている(例えば特許文献１参照)。
【０００３】
上記墓石においては、水鉢(６)を移動させることによって、墓碑(１)の内部に形成されている納骨室(図示省略)が露出することになる。
【特許文献１】特開２００２−２５６７３１号公報
【考案の開示】
【考案が解決しようとする課題】
【０００４】
しかしながら、水鉢(６)は石から形成されて、その重量は大きなものであるので、納骨時に水鉢(６)を移動させる作業が困難である問題があった。
そこで本考案は、納骨時の作業が従来よりも簡易な墓石を提供することを目的とする。
【課題を解決するための手段】
【０００５】
本考案に係る墓石においては、内部に納骨室Ｓを有する墓碑(１)の前方に水鉢(３)が配置されている。前記水鉢(３)は、前記納骨室Ｓに通じる通路Ｒを有する本体(４)と、該本体(４)の通路Ｒの前面側開口部を塞ぐ蓋(５)とから構成され、該蓋(５)を移動させることにより、前記本体(４)の通路Ｒを通じて前記納骨室Ｓが露出する。
【考案の効果】
【０００６】
本考案に係る墓石においては、水鉢(３)が２つの部材、即ち本体(４)と蓋(５)から構成されており、蓋(５)のみを移動させれば納骨室を露出させることが出来るので、納骨時の作業が従来よりも簡易となる。
【考案を実施するための最良の形態】
【０００７】
以下、本考案の実施の形態につき、図面に沿って具体的に説明する。
本考案に係る墓石においては、図１に示す如く、下台(11)、上台(12)及び竿石(13)を積み重ねて墓碑(１)が構成され、該墓碑(１)の前方に設置された基礎石(２)の上には、水鉢(３)が配置されると共に、該水鉢(３)の両側に、一対の花立(９)(９)が配置されている。
尚、墓碑(１)の内部には、納骨室(図示省略)が形成されている。
【０００８】
水鉢(３)は、図２に示す如く、本体(４)と蓋(５)の２部材を組み合わせて構成されている。
本体(４)の上面には水溜(44)が凹設されている。又、本体(４)の上面には、中央孔を有する筒状の擬似香炉(７)が設置されると共に、該擬似香炉(７)の中央孔を貫通させて金属製の有底筒部材(８)が設置されている。
筒部材(８)の内部には、複数本の線香を立てた状態で収納することが出来る。
【０００９】
図３に示す如く、本体(４)は、台部(41)と、該台部(41)を支える左右一対の脚部(42)(42)から構成され、台部(41)には、その上面に前記水溜(44)が凹設されると共に、その上面から鉛直下方へ貫通する貫通孔(43)が開設されている。該本体(４)においては、両脚部(42)(42)間に通路Ｒが形成されることになる。
蓋(５)は、前面部(51)と背面部(52)から構成され、その上面から鉛直下方に伸びる穴(53)が開設されている。
【００１０】
本体(４)と蓋(５)を組み合わせる際、図５に示す様に、蓋(５)の背面部(52)を本体(４)の両脚部(42)(42)の間に嵌め込む。これによって、両脚部(42)(42)間に形成された通路Ｒは、該通路の前面側の開口部にて、蓋(５)により塞がれることになる。
【００１１】
本体(４)と蓋(５)を組み合わせることによって、本体(４)の貫通孔(43)と蓋(５)の穴(53)とは、図４の如く１本の鉛直線上に揃い、この状態で、本体(４)の上には、擬似香炉(７)を前記鉛直線と同軸に設置すると共に、該擬似香炉(７)の中央孔、本体(４)の貫通孔(43)、及び蓋(５)の穴(53)を貫通させて、筒部材(８)を設置する。
この結果、本体(４)と蓋(５)とは筒部材(８)によって互いに連結されることになる。
尚、線香立てとなる筒部材(８)に替えて、その他の留め具となる筒状部材を設置することも可能である。
【００１２】
上記墓石においては、納骨時に墓碑(１)の納骨室を露出させる際、水鉢(３)の蓋(５)のみを移動させる。これによって、図５に示す本体(４)の通路Ｒを通じて、納骨室Ｓが露出することになる。
この様に、納骨時には、水鉢(３)全体を移動させるのではなく、蓋(５)のみを移動させればよいので、その作業は簡易なものとなる。
【図面の簡単な説明】
【００１３】
【図１】本考案に係る墓石の斜視図である。
【図２】水鉢の斜視図である。
【図３】水鉢の分解斜視図である。
【図４】水鉢の鉛直断面図である。
【図５】水鉢の水平断面図である。
【図６】従来の墓石の斜視図である。
【符号の説明】
【００１４】
(１)  墓碑
(３)  水鉢
(４)  本体
(41)  台部
(42)  脚部
(43)  貫通孔
(44)  水溜
(５)  蓋
(51)  前面部
(52)  背面部
(53)  穴
(７)  擬似香炉
(８)  筒部材
Ｒ  通路
Ｓ  納骨室
【図１】
0003145231.tif 000003
【図２】
0003145231.tif 000004
【図３】
0003145231.tif 000005
【図４】
0003145231.tif 000006
【図５】
0003145231.tif 000007
【図６】
0003145231.tif 000008
(57)【要約】【課題】異なる食感を提供できる乾麺の提供。【解決手段】麺材料で形成された帯状体であり、該帯状体は長手方向に延伸された中間部と、該中間部の両側に位置する側部を具え、該中間部は該側部より幅広で肉厚であり、両側の該側部は該中間部より幅細で肉薄であり、該側部は波状を呈する複数の湾曲部を具え、乾麺を加熱調理後に噛み応えと弾力のある食感を提供し、且つ比較的薄い該側部の含水率は高く、これにより麺が異なる食感を提供できる。【選択図】図１
0003145257.tif 000002
【実用新案登録請求の範囲】
【請求項１】
乾麺において、該乾麺は麺材料で形成された帯状体であり、該帯状体は長手方向に延伸された中間部と、該中間部の両側に位置する側部を具え、該側部は該中間部より幅細で肉薄であり、該側部は波状を呈する複数の湾曲部を具えたことを特徴とする、乾麺。
【請求項２】
請求項１記載の乾麺において、各該側部の厚さは該中間部の厚さの４０−７０％とされることを特徴とする、乾麺。
【請求項３】
請求項１或いは請求項２記載の乾麺において、該帯状体は長手方向と垂直な幅を有し、各該側部の幅は該帯状体の全体幅の１５−２５％とされることを特徴とする、乾麺。
【考案の詳細な説明】
【技術分野】
【０００１】
本考案は一種の乾麺に係り、特に、煮て調理される長く扁平な乾麺に関する。
【背景技術】
【０００２】
麺の製造は、一般に粉類と水を混ぜ合わせて塊とし、更に板状に成形する。続いて、圧延し、帯状にカットし、一定の厚さと幅の麺となす。
【０００３】
周知の麺の種類は非常に多く、一般に厚さは０．５ｍｍから２ｍｍの間とされ、幅広で肉厚の麺は加熱調理後に良好な噛み応えを有する。しかし、調理不十分の問題が発生しやすく、且つ含水率が低く、ソースやスープを絡めにくい。幅細で肉薄の麺は煮た後の含水率が高く、ソースやスープの栄養及び味を吸着しやすいが、煮過ぎの問題が発生しやすく、且つ噛み応えのある弾性に富む食感を失いやすい。
【考案の開示】
【考案が解決しようとする課題】
【０００４】
本考案の主要な目的は、煮た後に噛み応えと弾性のある食感を提供でき、高い含水率を有してソースやスープの栄養及び味を吸着しやすく、また、独特の造形を有する乾麺を提供することにある。
【課題を解決するための手段】
【０００５】
本考案の乾麺は、麺材料で形成された帯状体であり、該帯状体は長手方向に延伸された中間部と、該中間部の両側に位置する側部を具え、該中間部は該側部より幅広で肉厚であり、両側の該側部は該中間部より幅細で肉薄であり、該側部は波状を呈する複数の湾曲部を具え、乾麺を加熱調理後に噛み応えのある食感を提供し、且つ比較的薄い該側部の含水率は高く、大量に水を吸収でき或いはソースやスープを絡めやすい。
【０００６】
本考案のある実施例において、各側部の厚さは該中間部の厚さの４０−７０％とされる。
【０００７】
該帯状体は長手方向と垂直な幅を有し、各側部の幅は該帯状体の全体幅の１５−２５％とされる。
【考案の効果】
【０００８】
本考案の乾麺は、麺材料で形成された帯状体であり、該帯状体は長手方向に延伸された中間部と、該中間部の両側に位置する側部を具え、該中間部は該側部より幅広で肉厚であり、両側の該側部は該中間部より幅細で肉薄であり、該側部は波状を呈する複数の湾曲部を具え、乾麺を加熱調理後に噛み応えと弾力のある食感を提供し、且つ比較的薄い該側部の含水率は高く、これにより麺が異なる食感を提供できる。
【考案を実施するための最良の形態】
【０００９】
図１から図３を参照されたい。これらの図は本考案の好ましい実施例を示す。本考案の乾麺１は、麺材料で形成された帯状体を包含し、該帯状体は長手方向に延伸された中間部１１と、該中間部１１の両側に位置する側部１２を具え、該側部１２は該中間部１１より幅細で肉薄である。本実施例では、該中間部１１の平均厚さ（ｗ１）は約１ｍｍであり、各側部１２の平均厚さ（ｗ２）は約０．５ｍｍである。また、乾麺１は長手方向と垂直な幅を有し、本実施例では、該中間部１１の幅（ｄ１）は約６．５ｍｍであり、各側部１２の幅（ｄ２）は約２．２ｍｍである。すなわち、各側部１２の幅は該帯状体の全幅の約２０％である。更に、該側部１２は波状を呈する複数の湾曲部１３を具え、これにより、二つの該側部１２の縦方向断面が波状形態を呈する。
【００１０】
本考案の乾麺１は、中間部１１が側部よりも幅広で肉厚であり、ゆえに、該乾麺１を煮た後には、噛み応えと弾力のある食感を有する。該側部１２は該中間部１１に較べ幅細で肉薄であるため、乾麺を煮る時間を短縮でき、且つ該側部は煮た後の含水率が高く、大量に吸水し或いはソースやスープの栄養及び味を絡めやすい。また、該側部１２は波状の複数の湾曲部１３を有するため、該乾麺１の含水率が高められ、並びに煮崩れしにくく、外観がよいという特徴を有し、且つ、二種類の異なる食感を提供できる。
【図面の簡単な説明】
【００１１】
【図１】本考案の乾麺の立体図である。
【図２】図１の平面図である。
【図３】図２の３−３線に沿った断面図である。
【符号の説明】
【００１２】
１  乾麺            １１  中間部          １２  側部        １３  湾曲部
【図１】
0003145257.tif 000003
【図２】
0003145257.tif 000004
【図３】
0003145257.tif 000005